(57)【要約】【課題】  デザイン上の創作性が高く、シート状部材から折り畳んで容易に製作することができる祝儀袋を提供すること。【解決手段】  シート状部材を袋状に折りたたんで形成される袋体部４と、この袋体部４に設けられる熨斗飾り部６とから構成される祝儀袋。シート状部材の一角部である第１部分１０と、その他の第２部分１２から構成され、第２部分１２を折りたたんで袋体部４が形成され、第１部分１０を折りたたんで熨斗飾り部６が形成され、熨斗飾り部６が袋体部４の前面に配置される。シート状部材は矩形状であり、第１部分１０は、シート状部材８の長手方向を上下方向に配置した状態においてその左上部に直角二等辺三角形状に設けられる。【選択図】  図１
2008018958.tif 000002
【特許請求の範囲】
【請求項１】
シート状部材を袋状に折りたたんで形成される袋体部と、この袋体部に設けられる熨斗飾り部とから構成される祝儀袋であって、
前記シート状部材の一角部である第１部分と、前記第１部分を除くその他の第２部分から構成され、前記第２部分を折りたたんで袋体部が形成され、前記第１部分を折りたたんで熨斗飾り部が形成され、前記熨斗飾り部が前記袋体部の前面に配置されることを特徴とする祝儀袋。
【請求項２】
前記シート状部材は矩形状であり、前記第１部分は、前記シート状部材の長手方向を上下方向に配置した状態においてその左上部に直角二等辺三角形状に設けられていることを特徴とする請求項１に記載の祝儀袋。
【請求項３】
前記シート状部材の前記第１部分には第１の色彩及び／又は模様が施され、また前記第２部分には第２の色彩及び／又は模様が施されていることを特徴とする請求項２に記載の祝儀袋。
【請求項４】
前記シート状部材の前記第１部分は、前記シート状部材の前記左上部に設けられた正方形状の第１領域部と、前記第１領域部の下側に設けられた直角二等辺三角形状の第２領域部と、前記第１領域部の右側に設けられた直角二等辺三角形状の第３領域部とから構成され、前記第１部分の前記第１領域部には第１の色彩及び／又は模様が施され、前記第１部分の前記第２及び第３領域部は白色に形成され、前記第２部分には第２の色彩及び／又は模様が施されていることを特徴とする請求項２又は３に記載の祝儀袋。
【請求項５】
前記第２部分は、前記第１部分の前記第２領域部から右下方に延びる略矩形状の第４領域部と、前記第４領域部の左下側に設けられた第５領域部と、前記第４領域部の右上側に設けられた第６領域部と、前期第４領域部の右下側に設けられた第７領域部とから構成され、前記第４領域部には前記第２の色彩及び／又は模様が施され、前記第５、第６及び第７領域部は白色に形成されていることを特徴とする請求項４に記載の祝儀袋。
【請求項６】
前記第１部分を重ね合わせるように前記シート状部材の前記第１部分から前記第２部分にかけて三角形状に折り、かく折る状態にて前記第１部分を開いた後つぶしてひし形に形成し、このひし形形状部を所要の通りに折って、前記熨斗飾り部が形成されることを特徴とする請求項２〜５のいずれかに記載の祝儀袋。
【請求項７】
前記第１部分の前記ひし形形状部の両端部を内側に折った後に外側に折って飾り本体部を形成し、更にかかる両端部を外側に折った後に内側に折って前記飾り本体部の前面側に飾り前部を形成し、前記ひし形形状部の両端部を前記飾り本体部と前記飾り前部との間から両側に延びるように形成したことを特徴とする請求項６に記載の祝儀袋。
【請求項８】
前記第１部分のひし形形状部の両端の角を内側に真中線まで折り、その後これら両端部を袋状に開いて折り目に沿って内側に折り、更にこの状態にて両端部を真中線まで折り、その下端部を上側に折り返し、その先端部を更に内側に折り返して前記熨斗飾り部としての鶴を形成することを特徴とする請求項６に記載の祝儀袋。
【発明の詳細な説明】
【技術分野】
【０００１】
本発明は、月謝、寸志などを包む月謝袋、寸志袋などとして用いる祝儀袋に関する。
【背景技術】
【０００２】
祝儀を包むための祝儀袋として各種のものが提案され、その一例として、シート材を袋状に折り畳んだ袋体と、この袋体を結ぶ水引と、袋体の前面上部に取り付けられた熨斗飾り部と、を備えたものが提案されている（例えば、特許文献１参照）。このような祝儀袋では、シート材を折り畳んで袋体が形成され、かく形成された袋体に巻くように水引が装着され、また熨斗飾り部は袋体の前面上部に接着糊などによって貼着される。
【０００３】
【特許文献１】特開２０００−１６８７８９号公報
【発明の開示】
【発明が解決しようとする課題】
【０００４】
しかしながら、上述した祝儀袋では、別個に形成された熨斗飾り部を袋体の前面に貼着する構成である故に、その製作、特に熨斗飾り部の製作が煩雑で、一般の人がシート材から製作するのが難しいという問題がある。また、熨斗飾り部を袋体に単に貼着する構成である故に、祝儀袋としてのデザイン上の創作性が乏しく、あまり目立たないという問題がある。
【０００５】
本発明の目的は、デザイン上の創作性が高く、シート状部材から折り畳んで容易に製作することができる祝儀袋を提供することである。
【課題を解決するための手段】
【０００６】
本発明の請求項１に記載の祝儀袋は、シート状部材を袋状に折りたたんで形成される袋体部と、この袋体部に設けられる熨斗飾り部とから構成される祝儀袋であって、
前記シート状部材の一角部である第１部分と、前記第１部分を除くその他の第２部分から構成され、前記第２部分を折りたたんで袋体部が形成され、前記第１部分を折りたたんで熨斗飾り部が形成され、前記熨斗飾り部が前記袋体部の前面に配置されることを特徴とする。
【０００７】
また、本発明の請求項２に記載の祝儀袋では、前記シート状部材は矩形状であり、前記第１部分は、前記シート状部材の長手方向を上下方向に配置した状態においてその左上部に直角二等辺三角形状に設けられていることを特徴とする。
【０００８】
また、本発明の請求項３に記載の祝儀袋では、前記シート状部材の前記第１部分には第１の色彩及び／又は模様が施され、また前記第２部分には第２の色彩及び／又は模様が施されていることを特徴とする。
【０００９】
また、本発明の請求項４に記載の祝儀袋では、前記シート状部材の前記第１部分は、前記シート状部材の前記左上部に設けられた正方形状の第１領域部と、前記第１領域部の下側に設けられた直角二等辺三角形状の第２領域部と、前記第１領域部の右側に設けられた直角二等辺三角形状の第３領域部とから構成され、前記第１部分の前記第１領域部には第１の色彩及び／又は模様が施され、前記第１部分の前記第２及び第３領域部は白色に形成され、前記第２部分には第２の色彩及び／又は模様が施されていることを特徴とする。
【００１０】
また、本発明の請求項５に記載の祝儀袋では、前記第２部分は、前記第１部分の前記第２領域部から右下方に延びる略矩形状の第４領域部と、前記第４領域部の左下側に設けられた第５領域部と、前記第４領域部の右上側に設けられた第６領域部と、前期第４領域部の右下側に設けられた第７領域部とから構成され、前記第４領域部には前記第２の色彩及び／又は模様が施され、前記第５、第６及び第７領域部は白色に形成されていることを特徴とする。
【００１１】
また、本発明の請求項６に記載の祝儀袋では、前記第１部分を重ね合わせるように前記シート状部材の前記第１部分から前記第２部分にかけて三角形状に折り、かく折る状態にて前記第１部分を開いた後つぶしてひし形に形成し、このひし形形状部を所要の通りに折って、前記熨斗飾り部が形成されることを特徴とする。
【００１２】
更に、本発明の請求項７に記載の祝儀袋では、前記第１部分の前記ひし形形状部の両端部を内側に折った後に外側に折って飾り本体部を形成し、更にかかる両端部を外側に折った後に内側に折って前記飾り本体部の前面側に飾り前部を形成し、前記ひし形形状部の両端部を前記飾り本体部と前記飾り前部との間から両側に延びるように形成したことを特徴とする。
【００１３】
更にまた、本発明の請求項８に記載の祝儀袋では、前記第１部分のひし形形状部の両端の角を内側に真中線まで折り、その後これら両端部を袋状に開いて折り目に沿って内側に折り、更にこの状態にて両端部を真中線まで折り、その下端部を上側に折り返し、その先端部を更に内側に折り返して前記熨斗飾り部としての鶴を形成することを特徴とする。
【発明の効果】
【００１４】
本発明の請求項１に記載の祝儀袋によれば、シート状部材の一角部である第１部分を折り畳んで熨斗飾り部が形成され、その第２部分を折りたたんで袋体部が形成されるので、一枚のシート状部材を所要の通りに折り畳むことによって、熨斗飾り部が一体的に付いた祝儀袋をつくることができ、でき上がった祝儀袋は創作性の高いものとなる。
【００１５】
また、本発明の請求項２に記載の祝儀袋によれば、第１部分がシート状部材の長手方向を上下方向に配置した状態においてその左上部に直角二等辺三角形状に設けられているので、この第１部分を所要の通りに折り畳むことによって、熨斗飾り部を袋体部の前面側に設けた祝儀袋をつくることができる。
【００１６】
また、本発明の請求項３に記載の祝儀袋によれば、シート状部材の第１部分には第１の色彩及び／又は模様が施され、またその第２部分には第２の色彩及び／又は模様が施されているので、祝儀袋の袋体部と熨斗飾り部との色彩及び／又は模様が異なるようになり、でき上がった祝儀袋は創作性及びデザイン性の高いものとなる。
【００１７】
また、本発明の請求項４に記載の祝儀袋によれば、シート状部材の第１部分は、正方形状の第１領域部と、第１領域部の下側に設けられた直角二等辺三角形状の第２領域部と、第１領域部の右側に設けられた直角二等辺三角形状の第３領域部とから構成され、第１領域部には第１の色彩及び／又は模様（例えば、赤色）が施され、第２及び第３領域部は白色に形成されているので、第１部分を所要の通りに折り畳むことによって、第１の色彩赤色部分の中に白色部分が存在する熨斗飾り部をつくることができる。また、シート状部材の第２部分には第２の色彩及び／又は模様が施されているので、第２の色彩及び／又は模様が施された袋体部に上述の熨斗飾り部が一体的に付いたものとなり、創作性及びデザイン性の非常に高いものとなる。
【００１８】
また、本発明の請求項５に記載の祝儀袋によれば、シート状部材の第２部分の第４領域部に第２の色彩及び／又は模様が施され、その第５、第６及び第７領域部は白色に形成されているので、でき上がった祝儀袋の袋体部の外側に露出する部分には第２の色彩及び／又は模様が施されており、第２部分の必要な領域のみに色彩及び／又は模様を施すことによって、意匠性の優れた祝儀袋をつくることができる。
【００１９】
また、本発明の請求項６に記載の祝儀袋によれば、シート状部材の第１部分を重ね合わせるように第１部分から第２部分にかけて三角形状に折り、かく折る状態にて第１部分を開いた後つぶしてひし形に形成し、このひし形形状部を所要の通りに折り畳むことによって、袋体部の前面に所要の熨斗飾り部を一体的に設けることができる。
【００２０】
更に、本発明の請求項８に記載の祝儀袋によれば、第１部分のひし形形状部の両端部を内側に折った後に外側に折って飾り本体部を形成し、更にかかる両端部を外側に折った後に内側に折って飾り本体部の前面側に飾り前部を形成し、ひし形形状部の両端部を飾り本体部と飾り前部との間から両側に延びるように形成することによって、通常の形態の熨斗飾り部が袋体部の前面に付いた祝儀袋をつくることができる。
【００２１】
更にまた、本発明の請求項８に記載の祝儀袋によれば、第１部分のひし形形状部の両端の角を内側に真中線まで折り、その後これら両端部を袋状に開いて折り目に沿って内側に折り、更にこの状態にて両端部を真中線まで折り、その下端部を上側に折り返し、その先端部を更に内側に折り返してして形成することによって、鶴の形態の熨斗飾り部が袋体部の前面に付いた祝儀袋をつくることができる。
【発明を実施するための最良の形態】
【００２２】
以下、添付図面を参照して、本発明に従う祝儀袋の実施形態について説明する。まず、図１〜図１０を参照して、第１の実施形態の祝儀袋について説明する。図１は、第１の実施形態の祝儀袋を示す正面図であり、図２は、図１の祝儀袋をつくるときに用いるシート状部材を示す平面図であり、図３は、図１の祝儀袋をつくるときの折り順序の第１番目の折り方を示す図であり、図４は、図１の祝儀袋をつくるときの第２番目の折り方を示す図であり、図５は、図４に示す通りに折った後の状態を示す図であり、図６は、図１の祝儀袋をつくるときの第３番目の折り方を示す図であり、図７は、図１の祝儀袋をつくるときの第４番目の折り方を示す図であり、図８は、図１の祝儀袋をつくるときの第５番目の折り方を示す図であり、図９は、図１の祝儀袋をつくるときの第６番目の折り方を示す図であり、図１０は、図１の祝儀袋をつくるときの第７番目の折り方を示す図である。
【００２３】
図１及び図２において、図示の祝儀袋２は、祝儀を包むための袋体部４と、この袋体部４の前面に一体的に設けられる熨斗飾り部６とを備え、これら袋体部４及び熨斗飾り部６は、図２に示すシート状部材８を所要の通りに折り畳むことによって形成される。
【００２４】
このシート状部材８は矩形状であり、第１部分１０と、第１部分１０を除くその他の第２部分１２とを有し、第１部分１０を後述する如く折り畳むことによって熨斗飾り部６が形成され、第２部分１２を折り畳むことによって袋体部４が形成される。この実施形態では、第１部分１０は、図２に示すように、シート状部材８の長手方向を上下方向に配置した状態において左上部に設けられ、左上角部を頂角とする直角二等辺三角状に設けられ、その一辺は、一方の長辺１４から他方の長辺１６に向けて上短辺１８の幅方向中央よりも他方の長辺１６側まで延びている。この第１部分１０には、第１の色彩及び／又は模様が施され、第２部分１２には第２の色彩及び／又は模様が施される。
【００２５】
この第１部分１０は、シート状部材８の左上部に正方形状に設けられる第１領域部１０ａと、第１領域部１０ａの下側に設けられる直角二等辺三角状の第２領域部１０ｂと、第１領域部１０ａの右側（他方の長辺１６側）に設けられる第２領域部１０ｃとから構成されている。この実施形態では、第１領域部１０ａの全体に第１の色彩、例えば赤色が施されているとともに、シート状部材８の左上角部に向かう対角線状に直線状の細い帯状模様１０ｄ、例えばベージュ色の帯状模様が施され、第２及び第３領域部１０ｂ，１０ｃが白色に形成されており、このような色彩及び模様を施すことによって、後述する如く折り畳むことにより、赤色部及び白色部を有する通常の熨斗飾り部６が形成される。尚、第１部分１０に施す第１の色彩及び／又は模様は、祝儀袋２の種類などによって任意に選択して施すことができる。
【００２６】
また、第２部分１２は、第１部分１０の第２領域部１０ｂからシート状部材８の右下角部に向けて右下方に延びる略矩形状の第４領域部１２ａと、この第４領域部１２ａからシート状部材８の左下角部に向けて左下方に延びる略三角状の第５領域部１２ｂと、第４領域部１２ａからシート状部材８の右上角部に向けての右上方に延びる略三角状の第６領域部１２ｃと、第４領域部１２ａからシート状部材８の右下角部に向けて右下方に延びる第７領域部１２ｄとから構成されている。この実施形態では、第４領域部１２ａには第２の色彩及び／又は模様、例えばベージュ色が施されているとともに、例えば花柄及び／又は花びら模様が施され、第５、第６及び第７領域部１２ｂ，１２ｃ，１２ｄは白色に形成されている。尚、この第２部分１２に施す第２の色彩及び／又は模様も、祝儀袋２の種類などによって任意に選択して施すことができる。
【００２７】
後述した如く折り畳んだときには、第２部分１２の第４領域部１２ａが袋体部４の外側に露出するようになり、それ故に、この第４領域部１２ａに第２の色彩及び／又は模様を施して袋体部４の意匠性を高めているが、このような構成に限定されず、例えば、展開したシート状部材８の意匠性を考慮したときには、第４〜第７領域部１２ａ〜１２ｄ、即ち第２部分１２の全体にわたって第２の色彩及び／又は模様を施すようにしてもよい。
【００２８】
図２に示すシート状部材８を次のようにして折り畳んで図１に示す祝儀袋２をつくることができる。主として図２とともに、図３〜図１０を参照して、祝儀袋２をつくるときには、まず、図３に示すように、第１の色彩及び／又は模様と第２の色彩及び／又は模様とが施された面を外側にし、第１部分１０の帯状模様１０ｄを通る線で山折りし、図２の上短辺１８を図２の一方の長辺１４に重なるように、第１部分１０から第２部分１２にかけて三角状に折るようにする。そして、図４に示すように、このように三角状に折る状態にて、第１部分１０を開いた後につぶしてひし形に形成する。かく折り畳むと、図５に示す状態となり、第１部分１０の第１領域部１０ａがひし形形状部の表面側に位置し、第２及び第３領域部１０ｂ．１０ｃがひし形形状部の背面側に位置するようになる。
【００２９】
次に、図６に示すように、第１部分１０によって形成されるひし形形状部を例えば左に位置するようにし、第２部分１２の第５領域部１２ｂを内側に折って第６領域部１２ｃの内側に位置付け、また第７領域部１２ｄを内側に折り、このようにして第２部分１２を帯状にする。祝儀は、このように開いた状態において、第２部分１２の第４領域部１２ａと第５及び第６領域部１２ｂ，１２ｃとの間に入れて包むようになる。
【００３０】
次いで、図７に示すように、帯状の第２部分１２の一端側（第１部分１０が一する側と反対側）の端部を内側に折り、更にこの折った端部を上から覆うように第２部分１２の他端部（第１部分１０が存在する端部）を内側に折り、このように折り畳むことによって、図８に示すように袋体部４を形成することができ、このようにして祝儀袋の中間基本形態が作られる。図８に示す如く折り畳んだ状態では、第２部分１２の第４領域部１２ａが袋体部８の前面及び後面に位置し、袋体部４の表面は第４領域部１２ａに施された第２の色彩及び／又は模様が表れるようになる。
【００３１】
その後に、第１部分１０のひし形形状部を次のように折り畳んで熨斗飾り部６を形成する。即ち、図９に示すように、第１部分１０のひし形形状部の両端部を内側に折った後に外側に折って、上述した袋体部４の前面側に飾り本体部２２を形成し、更に、図１０に示すように、飾り本体部２２から両側に延びる端部を外側に折った（即ち、山折りする）後に内側に折って（即ち、谷折りする）飾り本体部２２の前面側に飾り前部２４を形成する。かくすると、第１部分１０のひし形形状部の両端部の先端側は、図１０から理解されるように、飾り本体部２２と飾り前部２４との間から両側に延び、このようにして通常の形態の熨斗としての熨斗飾り部６を形成することができる。
【００３２】
このようにして図１に示す祝儀袋２をつくることができ、この祝儀袋２の熨斗飾り部６は、図１及び図１０に示すように、飾り本体部２２の前面に第１部分１０の第２及び第３領域部１０ｂ，１０ｃが位置し（この部分は白色となる）、飾り本体部２２の内面には第１領域部１０ａの第１の色彩及び／又は模様（例えば、赤色と帯状模様１０ｄ）が施され、また飾り前部２４及びこれから両側に延びる両端部の前面は第１の色彩及び／又は模様（例えば、赤色）が施されているので、熨斗飾り部６は赤色部と白色部が混ざった意匠性の意匠性に優れたものとなる。
【００３３】
尚、このような熨斗飾り部６では、折り畳んで重なっている部分があるので、前面側に浮き上がり易くなる傾向にあり、このような浮き上が傾向を防止するために、例えばテープなどを用いて止めるようにしてもよい。例えば、熨斗飾り部６の前面側にテープを設け、このテープの両端部を袋体部４の前面に貼付けて抑えるようにしることができる。
【００３４】
次に、図１１〜図１６を参照して、第２の実施形態の祝儀袋について説明する。図１１は、第２の実施形態の祝儀袋を示す正面図であり、図１２は、図１１の祝儀袋をつくるときに用いるシート状部材を示す平面図であり、図１３は、図１１の祝儀袋をつくるときの中間基本形態まで折り畳んだ後の次の折り方を示す図であり、図１４は、図１３に示す状態の次の折り方を示す図であり、図１５は、図１４に示す状態の次の折り方を示す図であり、図１６は、図１５に示す状態の次の折り方を示す図である。
【００３５】
図１１及び図１２において、図示の祝儀袋１０２は、祝儀を包むための袋体部１０４と、この袋体部１０４の前面に一体的に設けられる熨斗飾り部１０６とを備え、これら袋体部４１０及び熨斗飾り部１０６は、図１２に示すシート状部材１０８を所要の通りに折り畳むことによって形成される。
【００３６】
このシート状部材１０８は矩形状であり、第１実施形態と同様に、第１部分１１０と、第１部分１１０を除くその他の第２部分１１２とを有し、第１部分１１０を後述する如く折り畳むことによって熨斗飾り部１０６が形成され、第２部分１１２を折り畳むことによって袋体部１０４４が形成される。第１部分１１０は、図１２に示すように、シート状部材１０８の長手方向を上下方向に配置した状態において左上部に設けられ、左上角部を頂角とする直角二等辺三角状に設けられ、この第１部分１１０の全体に第１の色彩及び／又は模様が施され、第２部分１１２の全体に第２の色彩及び／又は模様が施される。例えば、第１部分１１０の全体に赤色が施され、第２部分１１２の全体に薄いピンク色及び薄い花柄模様が施される。尚、この第２の実施形態においては、第２部分１１２は、第１の実施形態と同様に第４〜第７領域部を有し、これら第４〜第７領域部に第２の色彩及び／又は模様が施されるが、このような構成に代えて、第１の実施形態と同様に第４領域部のみに第２の色彩及び／又は模様を施すようにしてもよい。
【００３７】
この第２の実施形態では、図１２に示すシート状部材１０８を次のようにして折り畳んで図１１に示す祝儀袋１０２をつくることができる。主として図２とともに、図１３〜図１６を参照して、祝儀袋１０２をつくるときには、まず、第１の実施形態と同様に折り畳んで図８に示す中間基本形態をつくり（図３〜図８を参照）、その後、図１３〜図１６に示す通りに折り畳んで熨斗飾り部６を次のようにつくる。
【００３８】
シート状部材１０８を上述したように折り畳んで中間基本形態をつくった後に、シート状部材１０８の第１部分１１０のひし形形状部の両端の角を内側に真中線まで折り、その後、図１３に示すように、この両端部を袋状に開いて折り目に沿って内側に折り、更に、図１４に示すように、図１３に示す状態からその両端部１１４を真中線まで折る。
【００３９】
しかる後、図１５に示すように、折り畳んだ第１部分１１０の袋体部１０４から下方に延びる下端部１１６を上側に折り返し、更に図１６に示すように、上方に折り畳んだ下端部１１６の先端部１１８を内側に折り返し、この折り返した先端部１１８を内側に折った両端部１１４の内側に挿入し、このようにして第１部分１０のひし形形状部から熨斗飾りとしての鶴の熨斗飾り部１０６を形成することができる。
【００４０】
このようにして図１１に示す祝儀袋１０２をつくることができ、この祝儀袋１０２の熨斗飾り部１０６は、図１０及び図１６に示すように、熨斗飾り部１０６の表面には第１部分１１０の第１の色彩及び／又は模様が存在し、袋本体部１０４の表面には第２部分１１２の第２の色彩及び／又は模様が存在するので、意匠性の優れたものとなる。
【００４１】
以上、本発明に従う祝儀袋の実施形態について説明したが、本発明はこれら実施形態に限定されるものではなく、本発明の範囲を逸脱することなく種々の変形乃至修正が可能である。
【００４２】
例えば、上述した実施形態では特に設けていないが、折る部位をわかりやすくするために、必要に応じて折り線を施すようにしてもよい。
【図面の簡単な説明】
【００４３】
【図１】第１の実施形態の祝儀袋を示す正面図。
【図２】図１の祝儀袋をつくるときに用いるシート状部材を示す平面図。
【図３】図１の祝儀袋をつくるときの折り順序の第１番目の折り方を示す図。
【図４】図１の祝儀袋をつくるときの第２番目の折り方を示す図。
【図５】図４に示す通りに折った後の状態を示す図。
【図６】図１の祝儀袋をつくるときの第３番目の折り方を示す図。
【図７】図１の祝儀袋をつくるときの第４番目の折り方を示す図。
【図８】図１の祝儀袋をつくるときの第５番目の折り方を示す図。
【図９】図１の祝儀袋をつくるときの第６番目の折り方を示す図。
【図１０】図１の祝儀袋をつくるときの第７番目の折り方を示す図。
【図１１】第２の実施形態の祝儀袋を示す正面図。
【図１２】図１１の祝儀袋をつくるときに用いるシート状部材を示す平面図。
【図１３】図１１の祝儀袋をつくるときの中間基本形態まで折り畳んだ後の次の折り方を示す図。
【図１４】図１３に示す状態の次の折り方を示す図。
【図１５】図１４に示す状態の次の折り方を示す図。
【図１６】図１５に示す状態の次の折り方を示す図。
【符号の説明】
【００４４】
２，１０２  祝儀袋
４，１０４  袋体部
６，１０６  熨斗飾り部
８，１０８  シート状部材
１０，１１０  第１部分
１２，１１２  第２部分
【図１】
2008018958.tif 000003
【図２】
2008018958.tif 000004
【図３】
2008018958.tif 000005
【図４】
2008018958.tif 000006
【図５】
2008018958.tif 000007
【図６】
2008018958.tif 000008
【図７】
2008018958.tif 000009
【図８】
2008018958.tif 000010
【図９】
2008018958.tif 000011
【図１０】
2008018958.tif 000012
【図１１】
2008018958.tif 000013
【図１２】
2008018958.tif 000014
【図１３】
2008018958.tif 000015
【図１４】
2008018958.tif 000016
【図１５】
2008018958.tif 000017
【図１６】
2008018958.tif 000018